(57)【要約】【課題】基地局試験装置の設置場所を別途設けることなく基地局試験を行う。【解決手段】一般の通話処理を行う機能部１Ａ、１Ｂ、１Ｃを持つ基地局装置１０が、基地局装置１０の状態問い合わせ要求を受けてその機能部の状態について試験する試験機能部を備えて、試験機能部１１により前記機能部１０Ａ、１０Ｂ、１０Ｃの試験を行う。【選択図】　図１
2004096545.tif 000002
【特許請求の範囲】
【請求項１】
一般の通話処理を行う機能部を持つ基地局装置が、該基地局装置の状態問い合わせ要求を受けてその機能部の状態について試験する試験機能部を備え、該試験機能部により前記機能部の試験を実施することを特徴とする基地局試験システム。
【請求項２】
基地局の状態問い合わせの要求を行う制御装置と、一般の通話処理を行う機能部を持ち、前記制御装置からの要求を受けて基地局状態について試験する試験機能部を有する基地局装置とを備え、前記試験による試験結果を前記制御装置へ出力することを特徴とする基地局試験システム。
【請求項３】
一つの前記基地局装置に状態問い合わせ要求をするとともに該基地局装置から試験結果を受信する前記制御装置を複数備えたことを特徴とする請求項２に記載の基地局試験システム。
【請求項４】
一つの制御装置から状態問い合わせ要求がされる前記基地局装置を複数備えたことを特徴とする請求項２に記載の基地局試験システム。
【請求項５】
一般の通話処理を行う機能部を有して、状態問い合わせ要求を受けて前記機能部の試験を行う試験機能部を備えたことを特徴とする基地局装置。
【請求項６】
前記試験機能部により実施される前記機能部の試験手順およびその試験結果を保存する保存手段を有することを特徴とする請求項５に記載の基地局装置。
【請求項７】
基地局の状態問い合わせ要求を受信して、前記試験機能部に機能部の試験を実施させる通信手段を有することを特徴とする請求項５に記載の基地局装置。
【請求項８】
前記機能部の試験を試験手順に従って自律的に実施するプログラムを有することを特徴とする請求項５に記載の基地局装置。
【請求項９】
前記機能部の試験の試験結果を自律的に判断し、前記試験機能部の制御方法を変化させるプログラムを有することを特徴とする請求項５に記載の基地局装置。
【請求項１０】
前記機能部の試験の試験結果を自律的に判断し、前記機能試験の手順を自ら生成するプログラムを有することを特徴とする請求項５に記載の基地局装置。
【請求項１１】
前記通信手段が、外部からの基地局状態の問い合わせ要求を受ける受信手段であることを特徴とする請求項７に記載の基地局装置。
【請求項１２】
前記通信手段が、機能試験の結果を外部へ送信する送信手段であることを特徴とする請求項７に記載の基地局装置。
【請求項１３】
一般の通話処理を行う機能部を持つ基地局装置に状態問い合わせ要求を出し、該基地局装置内の試験機能部にその状態の試験をさせるように前記基地局装置を制御することを特徴とする制御装置。
【請求項１４】
前記基地局装置に状態問い合わせ要求をする送信手段を有することを特徴とする請求項１３に記載の制御装置
【請求項１５】
前記基地局装置からの試験結果を受信する受信手段を有することを特徴とする請求項１３に記載の制御装置。
【発明の詳細な説明】
【０００１】
【発明の属する技術分野】
本発明は、移動体通信の基地局試験システム、基地局装置および制御装置に関する。
【０００２】
【従来の技術】
従来の基地局試験システムとして、例えば特許文献１に示されたものがある。
【０００３】
【特許文献１】
特開２０００−１３８６４１号公報
【０００４】
この基地局試験システムは、基地局試験装置が基地局装置に対してシリアル通信線で接続され、さらに保守者側の固定電話に対して無線通信により接続されてなり、この基地局試験装置によって、シリアル通信線を通して基地局装置の状態を監視し、その監視結果について無線で固定電話と送受信を行えるようにしたものである。
【０００５】
【発明が解決しようとする課題】
しかしながら、従来の基地局試験システムは、基地局試験装置を別装置として設けているため、各基地局の試験を行うためには基地局試験装置を配置する場所を別に設ける必要があるという問題があった。
【０００６】
本発明は、上記従来の問題を解決するためになされたもので、基地局試験装置の設置場所を別途設けることなく基地局試験を行うことができる移動体通信の基地局試験システム、基地局装置および制御装置を提供することを目的とする。
【０００７】
【課題を解決するための手段】
上記の課題を解決するために、本発明の基地局試験システムは、一般の通話処理を行う機能部を持つ基地局装置が、該基地局装置の状態問い合わせ要求を受けてその機能部の状態について試験する試験機能部を備え、該試験機能部により前記機能部の試験を実施することを特徴とする。これにより基地局試験のための装置を別途基地局装置の外に設けることなく、基地局試験を行うことができる。
【０００８】
また、本発明の基地局試験システムは、基地局の状態問い合わせの要求を行う制御装置と、一般の通話処理を行う機能部を持ち、前記制御装置からの要求を受けて基地局状態について試験する試験機能部を有する基地局装置とを備え、前記試験による試験結果を前記制御装置へ出力することを特徴とする。これにより、試験実施者が基地局装置がある場所へ行かなくても離れた場所にある制御装置によって機能試験の指示と試験結果の収集を簡単に行うことができる。
【０００９】
また、本発明の基地局試験システムは、一つの基地局装置に状態問い合わせ要求をするとともに該基地局装置から試験結果を受信する制御装置を複数備えたことを特徴とする。これにより、いずれかの制御装置が故障した場合でも、他の制御装置を用いて引き続き基地局装置の機能試験を実行することができる。
【００１０】
また、本発明の基地局試験システムは、一つの制御装置から状態問い合わせ要求が出される基地局装置を複数備えたことを特徴とする。これにより、一つの制御装置からの問い合わせ要求にもとづいて複数の基地局装置の機能試験を実行することができる。
【００１１】
また、本発明の基地局装置は、一般の通話処理を行う機能部を持ち、状態問い合わせ要求を受けて前記機能部の試験を行う試験機能部を備えたことを特徴とする。これにより、基地局装置の内部または外部からの前記要求に従って基地局装置の機能試験を自動的に実施できる。
【００１２】
また、本発明の基地局装置は、試験機能部により実施される機能部の試験手順およびその試験結果を保存する保存手段を有することを特徴とする。これにより、試験実施者による試験実施工数を削減することができる。
【００１３】
また、本発明の基地局装置は、状態の問い合わせ要求を受信して、試験機能部に機能部の試験を実施させる通信手段を有することを特徴とする。これにより、遠隔の場所から基地局装置との送受信により機能試験を実施できる。
【００１４】
また、本発明の基地局装置は、機能部の試験を試験手順に従って自律的に実施するプログラムを有することを特徴とする。これにより、基地局装置の試験実施における試験実施者が不要となり、試験実施工数の大幅な削減が可能になるほか、定期的な基地局装置の試験を自律的に実施でき、基地局装置の保守性能を向上させることができる。
【００１５】
また、本発明の基地局装置は、機能部の試験の試験結果を自律的に判断し、試験機能部の制御方法を変化させるプログラムを有することを特徴とする。これにより、各基地局装置の設置場所ごとに特有な条件での最適な制御方法を、各基地局装置がそれぞれ自律的に創り出すことができる。
【００１６】
また、本発明の基地局装置は、機能部の試験の試験結果を自律的に判断し、機能試験の手順を自ら生成するプログラムを有することを特徴とする。これにより、各基地局装置の設置場所ごとに特有な条件下での最適な試験手順を、各基地局装置がそれぞれ自律的に創り出すことができる。
【００１７】
また、本発明の基地局装置は、通信手段が、外部からの基地局状態の問い合わせ要求を受ける受信手段であることを特徴とする。これにより、遠隔の場所から基地局装置に機能試験を指示できる。
【００１８】
また、本発明の基地局装置は、通信手段が、機能試験の結果を外部へ送信する送信手段であることを特徴とする。これにより、基地局の機能試験の結果を遠隔の場所にある保守卓などへ送信することができる。
【００１９】
また、本発明の制御装置は、一般の通話処理を行う機能部を持つ基地局装置に状態問い合わせ要求を出し、該基地局装置内の試験機能部にその状態の試験をさせるように前記基地局装置を制御することを特徴とする。これにより、制御装置からの指示によって基地局装置の試験と試験結果の出力制御を自動的に実施することができる。
【００２０】
また、本発明の制御装置は、基地局装置に状態問い合わせ要求をする送信手段を有することを特徴とする。これにより、問い合わせ要求を基地局装置の受信手段に伝えることができる。
【００２１】
また、本発明の制御装置は、基地局装置からの試験結果を受信する受信手段を有することを特徴とする。これにより、基地局装置の試験結果を制御装置の受信手段に速やかに伝えることができる。
【００２２】
【発明の実施の形態】
以下に、本発明の実施の形態について図面を参照して説明する。
図１は本発明の基地局試験システムを示すブロック図である。図１において、移動体通信システムにおける基地局装置１０は、一般の通信処理を行う機能部１Ａ、１Ｂ、１Ｃ、…の試験を行う試験機能部１１を有する。また、試験機能部１１には試験手順および試験結果を保存する保存手段としてのメモリ１２が接続されている。メモリ１２には基地局装置１０の機能試験を試験手順に従って自律的に実施するプログラムが格納されている。
【００２３】
このような構成の基地局試験システムでは、基地局装置１０の試験、具体的には機能部１Ａ、１Ｂ、１Ｃ、…の試験を行う試験機能部１１がまずメモリ１２からプログラム化された試験手順を読み込む。次に、試験手順に従って、試験機能部１１は各機能部１Ａ、１Ｂ、１Ｃ、…の試験を行う。この試験手順において、例えば機能部１Ａと機能部１Ｂとを連動させた試験を行う場合に、試験機能部１１が連動して試験が行えるような制御を行う。試験の結果はメモリ１２に格納される。これにより、基地局試験手段としての試験機能部１１を、基地局装置１０とは別に設けることなく試験を行うことができる。従って、試験機能部１１の設置空間、設置場所を基地局装置１０の外に別途用意する必要がなくなる。
【００２４】
図２は本発明の基地局試験システムの他の実施形態を示すブロック図である。図２において、基地局装置１０は、試験機能部１１及びメモリ１２を備える。制御装置２１は試験手順や試験実行の制御信号を基地局装置１０へ送り、基地局装置１０から送られてきた試験結果を受信し、解析する。データ伝達手段２２、２３は基地局装置１０と制御装置２１との間における情報の伝送媒体（有線または無線）である。
【００２５】
このような構成の基地局試験システムでは、まず、制御装置２１から伝達手段２３を介して試験手順をメモリ１２へ格納する。次に、制御装置２１から伝達手段２３を介して基地局装置１０に状態問い合わせ要求を行う。つまり、試験機能部１１に試験実行の制御信号を伝達する。このため、試験機能部１１はメモリ１２から試験手順を読み込み、基地局装置１０の各機能部１Ａ、１Ｂ、１Ｃ、…の試験を実施する。この試験により試験機能部１１により得られた試験結果はメモリ１２に格納されるとともに、伝達手段２２を介して制御装置２１へ伝達される。このため、制御装置２１には基地局装置の保守データが得られる。
【００２６】
この場合において、基地局装置１０および制御装置２１には、伝送手段の種類（有線または無線）に応じた通信手段（図示しない）を有する。この通信手段は、基地局装置１０においては制御装置２１の送信手段（図示しない）から送られる基地局状態の問い合わせ要求を受ける受信手段（図示しない）、および基地局装置での試験結果を制御装置２１の受信手段へ送信する送信手段（図示しない）である。
【００２７】
図３は本発明の基地局試験システムのさらに他の実施形態を示すブロック図である。同図において、１０Ａ、１０Ｂ、…は基地局装置で、図１に示すような機能部１Ａ、１Ｂ、１Ｃ、…、試験機能部１１、メモリ１２および図示しない通信手段を有する。また、２１Ａ、２１Ｂ、…は図２について説明したのと同様の通信手段（図示しない）を有する。また、これらの各基地局装置１０Ａ、１０Ｂ、…は制御装置２１Ａ、２１Ｂ、…のそれぞれに各一の伝送手段２４を介して接続されている。
【００２８】
従って、このような基地局試験システムでは、例えば一つの制御装置２１Ａが基地局装置１０Ａ、１０Ｂ、…に対し状態問い合わせ要求をし、この要求を受けてそれぞれの試験機能部１１で行った試験結果を制御装置２１Ａに対し送信する。これにより一つの制御装置１Ａで複数の基地局装置１０Ａ、１０Ｂの試験を行うことができる。制御装置２１Ｂについても各基地局装置１０Ａ、１０Ｂとの間で前記と同様に試験情報の処理を行う。また、一つの基地局装置１０Ａから試験結果の情報を制御装置２１Ａ、２１Ｂ、…へ伝達でき、同様にして、基地局装置１０Ｂの試験結果の情報を各制御装置２１Ａ、２１Ｂへ伝達できる。これにより、いずれかの制御装置が故障したとき、他の制御装置からの指示に従って基地局装置の試験を行うことができる。
【００２９】
また、基地局装置１０、１０Ａ、１０Ｂに、試験機能部１１による試験結果を自律的に判断して機能部１Ａ、１Ｂ、１Ｃ、…の制御方法を変化させるプログラムを設けることで、各基地局装置１０、１０Ａ、１０Ｂの設置場所ごとに特有な条件下での最適な制御方法を、自律的に創り出すことができる。さらに基地局装置１０、１０Ａ、１０Ｂの試験結果を自律的に判断して、試験手順を自ら生成するプログラムを設けることで、各基地局装置１０、１０Ａ、１０Ｂの設置場所ごとに特有な条件下での最適の試験手順を、自律的に創り出すことができる。
【００３０】
図４は前記の各プログラムにもとづいて基地局装置の試験を実行する手順を示す。図１において、まず、基地局装置１０の状態問い合わせ要求をこれの外部または内部から受けると、基地局装置１０は基地局試験が必要がどうか自律的に判断し（ステップＳ１）、基地局試験が必要であると判断した場合には、メモリ１２を通じて試験手順の読み込みを行い（ステップＳ２）、その試験手順に従って試験機能部１１が機能試験を実行する（ステップＳ３）。
【００３１】
次に、その機能試験によって試験結果を生成し（ステップＳ４）、その試験結果を分析する（ステップＳ５）。そして、この分析結果にもとづき基地局装置１０の最適な制御方法を自律的に生成する（ステップＳ６）。また、この試験結果にもとづいて新たな試験手順を自律的に生成し（ステップＳ７）、この生成した試験手順を次に行う基地局試験を利用する。これにより、基地局装置１０の設置場所ごとに特有な条件に対応させることができる。
【００３２】
【発明の効果】
以上のように本発明によれば、一般の通話処理を行う機能部を持つ基地局装置が、該基地局装置の状態問い合わせ要求を受けてその機能部の状態について試験する試験機能部を備えて、該試験機能部により機能部の試験を実施するようにしたので、試験機能装置の設置場所を別途設けることなく基地局試験を行うことができるという効果を有する。
【図面の簡単な説明】
【図１】本発明の一実施の形態による基地局試験システムの基地局装置を示すブロック図である。
【図２】本発明の他の実施の形態による基地局試験システムを示すブロック図である。
【図３】本発明の他の実施の形態による基地局試験システムを示すブロック図である。
【図４】本発明による基地局装置の一つの試験手順を示すフローチャートである。
【符号の説明】
１Ａ、１Ｂ、１Ｃ、…　試験機能部
１０、１０Ａ、１０Ｂ　基地局装置
１１　試験機能部
１２　メモリ（保存手段）
２１、２１Ａ、２１Ｂ　制御装置
【図１】
2004096545.tif 000003
【図２】
2004096545.tif 000004
【図３】
2004096545.tif 000005
【図４】
2004096545.tif 000006